(57)【要約】【課題】電気リード線からの伝導熱問題を解決して省エネ性を高めた冷蔵庫の提供。【解決手段】冷蔵庫本体の天面２０に電装ユニット２１を配置し、前記電装ユニットからの電気リード線２２を冷蔵庫本体の内箱３背面に沿わせて配線した冷蔵庫において、前記電気リード線２２は断熱性材料からなる複数のスペーサ部材２３を介して前記内箱３の背面に固定し、かつ前記スペーサ部材２３同士間の電気リード線２２と内箱３の間には発泡断熱材４を充填発泡させて介在させた構成としてある。これにより、電気リード線から内箱内部の冷蔵室等への伝導熱はスペーサ部材と発泡断熱材によって断熱され、その分、電力消費を抑制し、省エネルギー化が実現できる。【選択図】図５
2016044907.tif 000002
【特許請求の範囲】
【請求項１】
冷蔵庫本体の天面部に電装ユニットを配置し、前記電装ユニットからの電気リード線を冷蔵庫本体の内箱背面に沿わせて配線した冷蔵庫であって、前記電気リード線は断熱性材料からなる複数のスペーサ部材を介して前記内箱の背面に配線し、かつ前記スペーサ部材同士間の電気リード線と内箱の間には発泡断熱材を充填発泡させて介在させた冷蔵庫。
【請求項２】
スペーサ部材は電気リード線の少なくとも屈曲部分に配置した請求項１記載の冷蔵庫。
【請求項３】
スペーサ部材は電気リード線自体に巻き付ける形とした請求項１または２記載の冷蔵庫。
【発明の詳細な説明】
【技術分野】
【０００１】
本発明は冷蔵庫に関するものである。
【背景技術】
【０００２】
一般に冷蔵庫は、圧縮機で冷媒を圧縮し、この冷媒を冷却器で蒸発させて冷気を生成し、当該冷気を冷却ファンにより冷蔵室、冷凍室等に供給して食品を冷却保存するようになっている。そして、このような冷蔵庫の中には、上記圧縮機、冷却ファン等を制御する電装ユニットを冷蔵庫本体の天面に設けたものが見られる（例えば、特許文献１参照）。
【０００３】
図７は特許文献１に記載された冷蔵庫を示し、冷蔵室１０１、冷凍室１０２、野菜室１０３を有する冷蔵庫本体１０４の天面後部に電装ユニット１０５が設けてある。
【０００４】
この冷蔵庫は電装ユニット１０５を冷蔵庫本体１０４の天面に設けてあるから、電装ユニット１０５を冷蔵庫本体１０４の背面に設ける場合に比べ冷蔵庫本体１０４の背面壁厚を薄くでき、その分、冷蔵室１０１、冷凍室１０２、野菜室１０３の収納容積を増大させることができる。
【先行技術文献】
【特許文献】
【０００５】
【特許文献１】特開２００６−１８９１７９号公報
【発明の概要】
【発明が解決しようとする課題】
【０００６】
しかしながら、前記従来のように電装ユニット１０５を天面に設けた冷蔵庫は、電装ユニット１０５と冷蔵庫本体１０４各部に配置されている電気部品等とを接続する電気リード線を冷蔵庫本体１０４の背面壁内を上下方向に通して配線する必要がある。その場合、上記冷蔵庫本体１０４は内箱と外箱との間に発泡ウレタン等の発泡断熱材を充填発泡して構成しているため、前記リード線は発泡断熱材充填前に内箱の背面にテープ貼り等して仮止めしてあり、発泡断熱材充填発泡後は内箱の内面に圧着固定している。
【０００７】
ところが上記電気リード線の中には電流が流れて発熱するものが含まれており、この電気リード線からの熱が冷蔵庫本体１０４の内箱壁を介して冷蔵室１０１、冷凍室１０２、野菜室１０３等に伝熱される。そのため、上記電気リード線からの伝導熱分だけ冷却のための電力を消費することになり、電気リード線の発熱が微々たるものとはいえ極限まで省エネルギー化を進めている今日にあっては解決すべき課題の一つとなるものであった。
【０００８】
本発明はこのような点に鑑みてなしたもので、電気リード線からの伝導熱問題を解決して省エネ性を高めた冷蔵庫を提供することを目的とする。
【課題を解決するための手段】
【０００９】
本発明は、上記目的を達成するため、冷蔵庫本体の天面部に電装ユニットを配置し、前記電装ユニットからの電気リード線を冷蔵庫本体の内箱背面に沿わせて配線した冷蔵庫において、前記電気リード線は断熱性材料からなる複数のスペーサ部材を介して前記内箱の背面に配線し、かつ前記スペーサ部材同士間の電気リード線と内箱の間には発泡断熱材を充填発泡させて介在させた構成としてある。
【００１０】
これにより、電気リード線からの伝導熱はスペーサ部材と発泡断熱材によって断熱され
、その分、電力消費を抑制し、省エネルギー化が実現できる。
【発明の効果】
【００１１】
本発明は、上記した構成によって、冷蔵庫本体の天面部に電装ユニットを配置した冷蔵庫であっても、当該電装ユニットからの電気リード線が発する熱の影響を排除することができ、省エネルギー性の高い冷蔵庫とすることができる。
【図面の簡単な説明】
【００１２】
【図１】本発明の実施の形態１における冷蔵庫の斜視図
【図２】同実施の形態１における冷蔵庫を背面側から見た斜視図
【図３】同実施の形態１における冷蔵庫の縦断面図
【図４】同実施の形態１における冷蔵庫の要部断面図
【図５】同実施の形態１における冷蔵庫の電気リード線の配線状態を示す概略断面図
【図６】同実施の形態２における冷蔵庫の電気リード線の配線状態を示す概略断面図
【図７】従来の冷蔵庫の断面図
【発明を実施するための形態】
【００１３】
第１の発明は、冷蔵庫本体の天面部に電装ユニットを配置し、前記電装ユニットからの電気リード線を冷蔵庫本体の内箱背面に沿わせて配線した冷蔵庫であって、前記電気リード線は断熱性材料からなる複数のスペーサ部材を介して前記内箱の背面に配線し、かつ前記スペーサ部材同士間の電気リード線と内箱の間には発泡断熱材を充填発泡させて介在させた構成としてある。
【００１４】
これにより、電気リード線からの伝導熱はスペーサ部材と発泡断熱材によって断熱され、その分、電力消費を抑制し、省エネルギー化が実現できる。
【００１５】
第２の発明は、第１の発明において、前記スペーサ部材は電気リード線の少なくとも屈曲部分に配置した構成としてある。
【００１６】
これにより、電気リード線が弛みやすい屈曲部分をスペーサ部材によって内箱背面から確実に浮かせた状態とすることができ、この弛みやすい部分が発泡断熱材の発泡圧によって内箱背面に接するのを防止でき、電気リード線からの伝導熱をより確実に断熱することができて省エネ性を向上させることができる。
【００１７】
第３の発明は、第１または第２の発明において、前記スペーサ部材は電気リード線自体に巻き付ける形としてある。
【００１８】
これにより、電気リード線が複数本からなっていてもこれらを一つにまとめると同時に内箱背面にまとめて配線することができて作業性が向上すると同時に、各線がバラバラになってその一部が内箱背面に接するようなことを防止でき、更に確実に電気リード線からの伝導熱を断熱することができて省エネ性を向上させることができる。
【００１９】
以下、本発明の実施の形態について、図面を参照しながら説明する。なお、この実施の形態によってこの発明が限定されるものではない。
【００２０】
（実施の形態１）
図１は本発明の実施の形態１に置ける冷蔵庫の斜視図、図２は同実施の形態１における冷蔵庫を背面側から見た斜視図、図３は同実施の形態１における冷蔵庫の縦断面図、図４は同実施の形態１における冷蔵庫の要部断面図、図５は同実施の形態１における冷蔵庫の電気リード線の配線状態を示す概略断面図である。
【００２１】
図１〜図５において、本実施の形態に係る冷蔵庫は、前方を開口した冷蔵庫本体１を備え、この冷蔵庫本体１は、主に鋼板を用いた外箱２と、ＡＢＳなどの硬質樹脂で成型された内箱３と、前記外箱２と内箱３との間に発泡充填された硬質発泡ウレタンなどの発泡断熱材４とから構成されている。
【００２２】
冷蔵庫本体１は、断熱性の仕切板５．６によって複数の貯蔵室に区分されており、冷蔵庫本体１の最上部には冷蔵室７、その冷蔵室７の下部には上下二段の冷凍室８，９、更にその下部に野菜室１０が配置されていて、前記各貯蔵室の前面開口部は、観音開き式の冷蔵室扉１１、引出式の冷凍室扉１２ａ、１２ｂ、同引出式の野菜室扉１３によって開閉可能に閉塞されている。
【００２３】
また、冷蔵庫本体１の上部後方領域には機械室１４が設けられている。機械室１４には、圧縮機１５、水分除去を行うドライヤ（図示せず）等の冷凍サイクルの高圧側構成部品が収容されている。
【００２４】
また、前記冷蔵庫本体１の冷凍室背面には冷気を生成する冷却室１６が設けられており、冷却室１６からは各室に冷気を供給する冷気通路１７が形成されている。冷却室１６内には冷却器１８が配設されており、冷却器１８の上部には冷却ファン１９が配置されている。前記冷却ファン１９は、冷却器１８により生成された冷気を、冷気通路１７を介して、冷蔵室７、上段冷凍室８，下段冷凍室９、野菜室１０に強制循環させ各室を冷却する。
【００２５】
ここで、前記冷蔵庫本体１の天面２０には、図４に示す様に、機械室１４の前方部分に前記圧縮機１５、冷却ファン１９、操作表示部（図示せず）、各室への冷気通路を開閉するダンパ（図示せず）等を制御する電装ユニット２１が埋め込み装着してある。そして、上記電装ユニット２１と前記冷蔵庫本体１の各部に配置された圧縮機１５、冷却ファン１９、操作表示部（図示せず）、ダンパ（図示せず）、各室の温度センサ（図示せず）等とを接続する電気リード線２２が冷蔵庫本体１の内箱３背面に配線してある。
【００２６】
上記電気リード線２２は、図５に示すように、各部品に繋がるリード線をスペーサ部材２３で適宜まとめて冷蔵庫本体１の内箱３背面に配線してあり、スペーサ部材２３の厚みにより内箱３から浮いた状態となっている。そして、この浮いた状態の電気リード線２２と内箱３の背面との間に前記発泡断熱材４が固形化して介在した状態となっている。
【００２７】
上記スペーサ部材２３は断熱性のある材料で形成し、例えばハーネスクリップ等を用いて構成してある。そして、このスペーサ部材２３はそれぞれ適当な間隔を置いて配置されているが、少なくとも電気リード線２２が弛んで内箱３の背面に接しやすい屈曲部分Ａには必ず配置してある。
【００２８】
以上のように構成された冷蔵庫について、以下その動作、作用を説明する。
【００２９】
この実施の形態の冷蔵庫は、電装ユニット２１を冷蔵庫本体１の天面２０に設けているので、電装ユニット２１を冷蔵庫本体１の背面に設ける場合に比べ冷蔵庫本体１の背面壁厚を薄くでき、その分、冷蔵室７、上段冷凍室８、下段冷凍室９、野菜室１０の収納容積を増大させることができるが、天面２０に設けた電装ユニット２１からの電気リード線２２が冷蔵庫本体１の背面、すなわち内箱３の背面に沿った形で配線されていて、内箱３内の冷蔵室７、上段冷凍室８、下段冷凍室９、野菜室１０等が電気リード線２２から伝導熱を受ける。
【００３０】
しかしながら、上記した本実施の形態の冷蔵庫は、電気リード線２２が断熱性材料から
なる複数のスペーサ部材２３を介して前記内箱３の背面に配線されており、しかも前記スペーサ部材２３同士間の電気リード線２２と内箱３との間には発泡断熱材４を固形化して介在しているので、電気リード線２２からの伝導熱はスペーサ部材２３と発泡断熱材４によって断熱され、その分、電力消費を抑制し、省エネルギー化が実現できる。
【００３１】
また、上記スペーサ部材２３は電気リード線２２の少なくとも屈曲部分Ａには配置してあるから、電気リード線２２が弛みやすい屈曲部分Ａをスペーサ部材２３によって内箱３背面から確実に浮かせた状態とすることができる。したがって、この弛みやすい部分が発泡断熱材４の発泡圧によって内箱３背面に接するのを防止できる。よって、電気リード線２２からの熱輻射をより確実に断熱することができ、省エネ性を向上させることができる。
【００３２】
さらに、前記スペーサ部材は電気リード線自体に巻き付けるハーネスクリップ等で形成してあるから、電気リード線２２が複数本であってもこれらを適数本にまとめると同時に内箱３背面にまとめて配線することができ、作業性が向上すると同時に、各線がバラバラになってその一部が内箱３の背面に接するようなことを防止でき、更に確実に電気リード線２２からの熱輻射を断熱して省エネ性を向上させることができる。
【００３３】
（実施の形態２）
図６は実施の形態２における冷蔵庫の電気リード線の配線状態を示す概略断面図である。この実施の形態２は、内箱３の背面に真空断熱材２４を配置し、この真空断熱材２４の背面に電気リード線２２を配線したものである。
【００３４】
この構成によれば、真空断熱材２４により内箱３の断熱性を向上させつつ電気リード線２２からの伝導熱を確実に遮熱することができ、より効率よく電気リード線２２からの熱を断熱して、省エネ性を向上させることができる。
【００３５】
以上、本発明に係る冷蔵庫について、上記実施の形態を用いて説明したが、本発明は、これに限定されるものではない。すなわち、今回開示された実施の形態はすべての点で例示であって制限的なものではないと考えられるべきである。つまり、本発明の範囲は上記した説明ではなくて特許請求の範囲によって示され、特許請求の範囲と均等の意味及び範囲内でのすべての変更が含まれることが意図される。
【００３６】
例えば、本実施の形態では、スペーサ部材２３は電気リード線２２に巻きつける形のものを例示したが、これはただ単に内箱３と電気リード線２２との間に介在するだけのものであってもよいし、内箱３への接着面を持っていて内箱３に接着することにより電気リード線２２を内箱３の背面に固定できるものとしてもよく、この固定タイプにすれば発泡断熱材４の発泡時に電気リード線２２の不用意な動きを防止できるので効果的であるなど、種々の応用展開が考えられるものである。
【産業上の利用可能性】
【００３７】
以上のように、本発明は、冷蔵庫本体の天面部に電装ユニットを配置した冷蔵庫であっても、当該電装ユニットからの電気リード線が発する熱の影響を排除することができ、省エネルギー性の高い冷蔵庫とすることができる。よって、家庭用冷蔵庫をはじめとして業務用冷蔵庫、自動販売機など他の冷凍冷蔵応用商品にも広く適用できる。
【符号の説明】
【００３８】
１  冷蔵庫本体
２  外箱
３  内箱
４  発泡断熱材
５、６  仕切板
７  冷蔵室
８  上段冷凍室
９  下段冷凍室
１０  野菜室
１１  冷蔵室扉
１２ａ、１２ｂ  冷凍室扉
１３  野菜室扉
１４  機械室
１５  圧縮機
１６  冷却室
１７  冷気通路
１８  冷却器
１９  冷却ファン
２０  天面
２１  電装ユニット
２２  電気リード線
２３  スペーサ部材
２４  真空断熱材
【図１】
2016044907.tif 000003
【図２】
2016044907.tif 000004
【図３】
2016044907.tif 000005
【図４】
2016044907.tif 000006
【図５】
2016044907.tif 000007
【図６】
2016044907.tif 000008
【図７】
2016044907.tif 000009